(57)【特許請求の範囲】
【請求項１】
観察用及び撮影用に兼用する照明光源であって撮影に必要な光量を定常的に発光する照明光源を有する照明光学系と、観察用の照明光により照明された眼底を観察する観察光学系と、撮影用の照明光により照明された眼底を撮影する撮影光学系と、を有する眼底カメラにおいて、
前記照明光学系の光路に挿脱自在に配置され照明光を観察用に整えるためのフィルタと、前記照明光学系の光路に配置され照明光の通過・遮断を行う第１シャッタと、前記照明光学系の光路への前記フィルタの挿脱と前記照明光学系の光路への前記第１シャッタの開閉とを個々に検知するための検知手段と、前記フィルタの光路への挿脱及び前記第１シャッタの開閉を駆動制御する制御手段であって，撮影時は前記照明光学系の光路を遮断するように前記第１シャッタを閉じた状態で前記フィルタを照明光路から外すための駆動制御を行った後、前記検知手段からの前記フィルタ離脱の旨の検知信号に基づいて照明光を閃光化するように前記第１シャッタの開閉を駆動制御する制御手段と、前記照明光学系の光路に挿脱可能に配置され前記第１シャッタとは異なる部材である第２シャッタと、を備え、
前記制御手段は前記検知手段からの前記フィルタまたは前記第１シャッタの開閉動作の異常検知に基づいて前記第２シャッタを前記照明光学系の光路に挿入する動作制御を行うことを特徴とする眼底カメラ。
【発明の詳細な説明】
【０００１】
【発明の属する技術分野】
本発明は、被検眼眼底を撮影する眼底カメラに属する。
【０００２】
【従来技術】
眼底カメラにおいては、観察用の照明光源として主にハロゲンランプが使用されており、無散瞳撮影では赤外光透過フィルタが設けられている。また、撮影用の照明光源としては、ハロゲンランプとは別にキセノンランプをフラッシュ用として設けている。
【０００３】
【発明が解決しようとする課題】
しかしながら、キセノンランプを撮影用のフラッシュランプとして使用する場合、１回の撮影毎にキセノンランプ電源の充電が行われるため、次の撮影までに時間が掛かることとなる。このため連続撮影を行う場合には非常に使い勝手が悪いこととなる。また、ハロゲンランプ，キセノンランプの２つに電源を供給する必要があるため、電器系の構成が複雑になり易い。さらに、ランプを２つ使用することにより、光学系が複雑になるといった問題があった。
【０００４】
本発明は、上記従来装置の欠点に鑑み、簡単な構成で観察及び撮影を行うことができ、さらには連続撮影においてもストレスなく行うことができる眼底カメラを提供することを技術課題とする。
【０００５】
【課題を解決するための手段】
上記課題を解決するために、本発明は以下のような構成を備えることを特徴とする。
（１）  観察用及び撮影用に兼用する照明光源であって撮影に必要な光量を定常的に発光する照明光源を有する照明光学系と、観察用の照明光により照明された眼底を観察する観察光学系と、撮影用の照明光により照明された眼底を撮影する撮影光学系と、を有する眼底カメラにおいて、
前記照明光学系の光路に挿脱自在に配置され照明光を観察用に整えるためのフィルタと、前記照明光学系の光路に配置され照明光の通過・遮断を行う第１シャッタと、前記照明光学系の光路への前記フィルタの挿脱と前記照明光学系の光路への前記第１シャッタの開閉とを個々に検知するための検知手段と、前記フィルタの光路への挿脱及び前記第１シャッタの開閉を駆動制御する制御手段であって，撮影時は前記照明光学系の光路を遮断するように前記第１シャッタを閉じた状態で前記フィルタを照明光路から外すための駆動制御を行った後、前記検知手段からの前記フィルタ離脱の旨の検知信号に基づいて照明光を閃光化するように前記第１シャッタの開閉を駆動制御する制御手段と、前記照明光学系の光路に挿脱可能に配置され前記第１シャッタとは異なる部材である第２シャッタと、を備え、
前記制御手段は前記検知手段からの前記フィルタまたは前記第１シャッタの開閉動作の異常検知に基づいて前記第２シャッタを前記照明光学系の光路に挿入する動作制御を行うことを特徴とする。
【０００６】
【発明の実施の形態】
以下、本発明の一実施形態を図面に基づいて説明する。図１は発明の実施形態である無散瞳タイプの眼底カメラの光学系概略図である。光学系は照明光学系１、撮影光学系２、観察光学系３、固視標呈示光学系３０から大別構成される。
【０００７】
＜照明光学系＞  １０は連続光を照射することができるキセノンショートアークランプであり、観察用光源と撮影用光源を兼ねている。また、ランプ１０は撮影に必要な光量を定常的に発光する。ランプ１０から出射された光束は、コンデンサレンズ１１、光路に挿脱自在に配置される赤外光透過の赤外フィルタ１２を介して赤外光束とされた後、メカニカルシャッタ１３を通過し、リング状の開口を有するリングスリット１４を照明する。メカニカルシャッタ１３は眼底の撮影時に使用され、１／１０００秒程度で開閉することによりランプ１０からの照明光をフラッシュ光（閃光）として使用させるものである。
【０００８】
本実施形態ではメカニカルシャッタを用いて１／１０００秒程度で開閉させているが、これに限るものではなく、フラッシュ光形成のために微少時間内（１／１０００秒〜１／１０秒程度）にて開閉を行えばよい。また、本実施の形態では可視域から赤外域まで昼光に類似した連続スペクトルを有するキセノンショートアークランプを使用しているが、これに限るものではなく、例えばハロゲンランプ等のように、可視光域から赤外光域までの波長を発するとともに連続光の照射が可能な光源であればよい。
【０００９】
赤外フィルタ１２の光路中への挿脱動作の検知は、センサ５０によって行われる。また、メカニカルシャッタ１３の開閉動作の検知はセンサ５１によって行われる。センサ５０，５１のどちらかが異常を検知した場合には、安全シャッタ５２が照明光学系の光路中に挿入され、照明光束が被検眼Ｅに入射するのを防ぐようになっている。
【００１０】
リングスリット１４からの光束は、リレーレンズ１５ａ、ミラー１６、中心部に小黒点を有する黒点板１７、リレーレンズ１５ｂを介して、穴開きミラー１８の開口部近傍に中間像を形成し、撮影光学系２の光軸と同軸になるように穴開きミラー１８の周辺面で反射される。穴開きミラー１８で反射したリングスリット光束は、対物レンズ１９により被検眼Ｅの瞳孔付近で一旦結像した後、拡散して被検眼眼底部を一様に照明する。
【００１１】
＜撮影光学系＞  撮影光学系２は、対物レンズ１９、撮影絞り２０、光軸方向に移動可能なフォーカシングレンズ２１、結像レンズ２２、撮影用のカラーＣＣＤカメラ２３を備える。２４は観察光学系用のリターンミラーで撮影時には破線で示した位置に退去する。眼底からの反射光束は、対物レンズ１９により一旦眼底の中間像を結像した後、穴開きミラー１８の開口部、撮影絞り２０、フォーカシングレンズ２１、結像レンズ２２を介してＣＣＤカメラ２３に入射し、その撮像素子面上に眼底像を結像する。
【００１２】
＜観察光学系＞  観察光学系３は、撮影光学系２の対物レンズ１９から結像レンズ２２までを共用し、撮影時以外は実線で示した位置にあるリターンミラー２４で光路を変える。２５はハーフミラーで反射の比率は透過より大きくされている。ハーフミラー２５の反射方向光路にはリレーレンズ２６、可視域から赤外域に感度を持つ観察用のＣＣＤカメラ２７が配置されている。リターンミラー２４で反射された眼底からの赤外反射光束は、ハーフミラー２５でさらに反射された後、リレーレンズ２６を介してＣＣＤカメラ２７に入射し、その撮像素子面上に眼底像を結像する。ＣＣＤカメラ２７の出力は白黒兼用のカラーモニタ４０に接続されており、モニタ４０の画面上に眼底像ＥＬが映し出される。
【００１３】
＜固視標呈示光学系＞  固視標呈示光学系３０は、固視目標となる点光源３１、リレーレンズ３２を備え、ハーフミラー２５を介してリターンミラー２４から対物レンズ１９までの観察光学系３の光路を共用する。点光源３１はレバー３３の操作により、被検眼眼底及びＣＣＤカメラ２７の撮像面と略共役な平面内で移動可能に構成されており、検者はレバー３３を操作することで、被検眼の眼底（視線方向）を所望の撮影部位へ誘導できるようになっている。
【００１４】
また、ハーフミラー２５を挟んで観察光学系３が持つリレーレンズ２６の反対方向には反射ミラー２８が設けられている。この反射ミラー２８はリレーレンズ２６を介してＣＣＤカメラ２７の撮像面と略共役な位置で、且つリレーレンズ３２を介して固視目標の点光源３１と略共役な位置に設定されている。これにより、モニタ５０上には観察眼底像ＥＬに固視標像３１´が合成されて表示される。
【００１５】
図２は、制御系の要部を示すブロック図である。
６０は眼底カメラ全体の制御を行う制御部である。ＣＣＤカメラ２４，２７からの信号は制御部６０に入力され、モニタ４０に画像情報として表示されるようになっている。また、制御部６０にはランプ１０、センサ５０，５１、撮影スイッチ６１、モータ等からなる駆動装置６２，６３、撮影画像データを記憶する記憶部６４等が接続される。撮影スイッチ６１は眼底カメラの筐体外部に設けられ、これを使用することにより、眼底画像を撮影することが可能である。駆動装置６２は赤外フィルタ１２に接続され、制御部６０からの信号に基づいて赤外フィルタ１２を照明光学系の光路中に挿脱させる。また、駆動装置６３は安全シャッタ５２に接続され、制御部６０からの信号に基づいて安全シャッタ５２を照明光学系の光路中に挿脱させるようになっている。
【００１６】
以上のような構成において、その動作を説明する。
被検眼眼底の観察時はランプ１０の点灯により、赤外光で照明された被検眼像は観察光学系３のＣＣＤカメラ２７に結像し、その像が制御部６０を経由してモニタ５０に映し出されている。検者はモニタ５０の表示を観察して、被検眼に対する眼底カメラ本体の位置調整を行う。また、フォーカシングレンズ２１を移動してピント合わせを行う。固視目標の点光源３１を点灯すると、被検者は点光源３１を固視標として視認する。これにより被検眼の視線が誘導される。
【００１７】
検者は、モニタ４０の眼底像ＥＬと固視標像３１´を観察しながら、レバー３３を操作して点光源３１を任意の位置に移動し、所望部位が観察できるようにする。撮影位置が決定したら撮影スイッチ６１を押して撮影を実行する。
【００１８】
撮影スイッチ６１が押されると、そのトリガ信号に基づいて制御部６０はメカニカルシャッタ１３の開口を一旦閉じ、その後駆動手段６２を駆動させて照明光学系の光路上から赤外フィルタ１２を外す。センサ５０により、赤外フィルタ１２が光路外に外れたことを検知すると、制御部６０はリターンミラー２４を跳ね上げるとともに、メカニカルシャッタ１３を微少時間内（本実施の形態では１／１０００秒間）に開閉させる。
【００１９】
メカニカルシャッタ１３が微少時間内に開閉されると、ランプ１０からの光束はフラッシュ光として被検眼眼底に照射される。照射されたフラッシュ光は眼底にて反射され、その反射光は撮影光学系を経てＣＣＤカメラ２７に受光される。ＣＣＤカメラ２７からの信号は制御部６０経てモニタ４０に送られ、眼底像として表示される。また同時に画像データはデータ記憶部６４に送られ、記憶される。
【００２０】
メカニカルシャッタ１３の開閉が終了したことをセンサ５１にて検知した制御部６０は、赤外フィルタ１２を再び光路内に挿入する。制御部６０は赤外フィルタ１２が光路内へ挿入されたのをセンサ５０にて検知すると、リターンミラー２４を下げるとともに、メカニカルシャッタ１３を開放する。メカニカルシャッタ１３が開放されると、赤外光の照明光束は再び被検眼Ｅを照明し、観察を行うことができるようになる。
【００２１】
また、連続撮影を行う場合には、撮影スイッチ６１を連続して押すだけでよい。制御部６０は撮影スイッチ６１が押された数だけメカニカルシャッタ１３を開閉させ必要数のフラッシュ光を形成する。従来の装置と異なり、ランプ１０は常に点灯したままでシャッタの開閉によりフラッシュ光を形成するため、電源への充電時間がかからずストレスなく撮影を行うことが可能となる。
【００２２】
また、赤外フィルタ１２の挿脱やメカニカルシャッタ１３の開閉動作に異常が生じた場合、その動作異常はセンサ５０，５１によって検知され、制御部６０に伝えられる。制御部６０はセンサ５０，５１からの検知信号により異常を検知すると、駆動手段６３を用いて安全シャッタ５２を照明光学系の光路内に挿入し、ランプ１０から照射される可視光の光束が被検眼Ｅに入射するのを防ぐ。
【００２３】
本実施の形態では照明光を連続光としているが、これに限るものではなく、人が連続光として検知できる程度の点滅点灯であってもよい。たとえば３０Ｈｚ以上の点滅点灯の照明光ならば違和感なく眼底の観察を行うことができる。
【００２４】
以上、眼底カメラを無散瞳型として構成したが、散瞳剤を使用して可視光で観察する散瞳型として構成することもできる。その場合、赤外フィルタ１２の代わりに、照明光を観察用に整えるように、ランプ１０からの照明光量を減衰する減衰フィルタを設ける構成とすれば良い。
【００２５】
【発明の効果】
以上説明したように、本発明によれば、照明用の光源と撮影用の光源とを共用したため、光学系や電気的な制御系が簡略できる。また、撮影時にはシャッタにて開閉動作ことにより照明光をフラッシュ光としているため、フラッシュ光の充電時間を必要とせず、ストレスなく連続撮影を行うことができる。
【図面の簡単な説明】
【図１】実施形態の無散瞳眼底カメラの光学系概略図である。
【図２】眼底カメラの制御系ブロック図である。
【符号の説明】
１  照明光学系
２  撮影光学系
３  観察光学系
１０  キセノンショートアークランプ
１２  赤外フィルタ
１３  メカニカルシャッタ
５０  センサ
５１  センサ
５２  安全シャッタ
６０  制御部
６１  撮影スイッチ
【図１】
0004886126.tif 000002
【図２】
0004886126.tif 000003